【手続補正書】
【提出日】平成24年9月20日(2012.9.20)
【手続補正１】
【補正対象書類名】特許請求の範囲
【補正対象項目名】全文
【補正方法】変更
【補正の内容】
【特許請求の範囲】
【請求項１】
異なる半径の第１および第２の同心列に配置されている周方向に互いに離間した複数のドライパウダードーズ容器を有するドーズ容器ディスクと、
順次、前記第１の列におけるドライパウダードーズ容器を開封し、前記第２の列におけるドライパウダードーズ容器を開封するように構成された突刺機構と、
を備えていることを特徴とするドライパウダー吸入器。
【請求項２】
前記突刺機構は、
半径方向において互いに隣接して離間した関係にある第１および第２の細長突刺部材であって、各突刺部材は、突刺位置と非突刺位置との間で往復運動を行うことが可能になっており、各突刺部材は、遠位側突刺部および近位側ヘッド部を備えており、前記第１の突刺部材は、前記第１の列におけるドーズ容器のシーリング材を突き刺すように構成されており、前記第２の突刺部材は、前記第２の列におけるドーズ容器のシーリング材を突き刺すように構成されている、第１および第２の細長突刺部材を備えていることを特徴とする、請求項１に記載のドライパウダー吸入器。
【請求項３】
ハウジングであって、前記ドーズ容器ディスクが前記ハウジング内に回転可能に取り付けられており、前記ドーズ容器ディスクは、互いに向き合った上下主面と、第１の半径において周方向に互いに離間したドーズ容器に関連付けられた開口の第１の列および第２の半径において周方向に互いに離間したドーズ容器に関連付けられた開口の第２の列を有しており、前記第１の列および前記第２の列は、前記ディスクの中心に対して同心になっており、前記ドーズ容器は、ドライパウダーを含んでいる、ハウジングと、
前記ドーズ容器ディスクの前記上下主面の少なくとも１つを覆って配置されている柔軟
シーリング材と、
をさらに備えており、
前記突刺機構は、前記ドーズ容器ディスクに操作可能に関連付けられており、前記第１の列におけるドーズ容器の前記シーリング材を突き刺し、前記第２の列におけるドーズ容器の前記シーリング材を突き刺すように構成されていることを特徴とする、請求項１に記載のドライパウダー吸入器。
【請求項４】
前記突刺機構は、各突刺部材を後退位置に付勢するように構成された付勢部材を備えていることを特徴とする、請求項２に記載のドライパウダー吸入器。
【請求項５】
互い違いの同心関係にある周方向において互いに離間した第１の斜面要素の組および第２の斜面要素の組を備える回転可能な斜面ディスクをさらに備えており、前記第１の斜面要素の組は、前記第１の突刺部材を後退位置と突出位置との間で移動させるようになっており、前記第２の斜面要素の組は、前記第２の突刺部材を後退位置と突出位置との間で移動させるようになっていることを特徴とする、請求項２に記載のドライパウダー吸入器。
【請求項６】
前記第１の斜面要素の組および前記第２の斜面要素の組における各斜面要素は、第１の傾斜部、平坦部、第２の傾斜部、および棚部を備えていることを特徴とする、請求項５に記載のドライパウダー吸入器。
【請求項７】
第１の位置と第２の位置との間で移動可能になっているアクチュエータをさらに備えており、前記ドーズ容器ディスクは、その上側主面を覆っているシーリング材およびその下側主面を覆っているシーリング材を有しており、前記第１の位置から前記第２の位置への前記アクチュエータの移動が前記斜面ディスクを回転させ、その結果、前記第１の斜面要素の組における斜面要素によって、前記第１の突刺部材が、前記第１の列におけるドーズ容器の上および下の前記シーリング材を突き刺すようになっていることを特徴とする、請求項５に記載のドライパウダー吸入器。
【請求項８】
前記第１の位置から前記第２の位置への前記アクチュエータの次回の移動が前記斜面ディスクを回転させ、その結果、前記第２の斜面要素の組における斜面要素によって、前記第２の突刺部材が、前記第２の列におけるドーズ容器の上および下の前記シーリング材を突き刺すようになっていることを特徴とする、請求項７に記載のドライパウダー吸入器。
【請求項９】
第１の位置と第２の位置との間で移動可能になっているアクチュエータをさらに備えており、前記ドーズ容器ディスクは、その上側主面を覆っているシーリング材およびその下側主面を覆っているシーリング材を有しており、前記第１の位置から前記第２の位置への前記アクチュエータの移動が前記斜面ディスクを回転させ、これによって、前記第１の突刺部材または前記第２の突刺部材の１つが、ドーズ容器の上および下の前記シーリング材を突き刺し、そこから部分的に後退するようになっていることを特徴とする、請求項５に記載のドライパウダー吸入器。
【請求項１０】
第１の位置と第２の位置との間で移動可能になっているアクチュエータをさらに備えており、前記第１の位置から前記第２の位置への前記アクチュエータの移動によって、前記ドーズ容器ディスクが、前記吸入器の出口気流経路に関連付けられた界面または壁に密封係合するようになっていることを特徴とする、請求項１に記載のドライパウダー吸入器。
【請求項１１】
前記アクチュエータは、付勢ポストを備えており、前記第１の位置から前記第２の位置への前記アクチュエータの移動によって、前記付勢ポストが、前記ドーズ容器ディスクを、前記吸入器の出口気流経路に関連付けられた界面または壁に密封係合すべく、付勢するようになっていることを特徴とする、請求項１０に記載のドライパウダー吸入器。
【請求項１２】
前記第１の列のドーズ容器開口は、前記第２の列のドーズ容器開口の中心線から周方向に離間した中心線を有し、３０個のドーズ容器開口が前記第１の列に配置されており、３０個のドーズ容器開口が前記第２の列に配置されていることを特徴とする、請求項１に記載のドライパウダー吸入器。
【請求項１３】
各突刺部材は、回転せずに垂直方向に真っ直ぐ移動することによって、前記シーリング材を突き刺すように構成されたコルク・スクリュー突刺具を含んでいることを特徴とする、請求項３に記載のドライパウダー吸入器。
【請求項１４】
各突刺部材は、前記シーリング材を突き刺すように構成された溝付き突刺具を含んでいることを特徴とする、請求項３に記載のドライパウダー吸入器。
【請求項１５】
各ドーズ容器は、気管支拡張剤、吸入コルチコステロイド薬（ＩＣＳ）、および抗コリン薬からなる群から選択される薬学的活性剤を有するドライパウダーを含んでおり、
前記気管支拡張剤は、
アルブテロール、サルメテロール、エフェドリン、アドレナリン、フェノテロール、フォルモテロール、イソプレナリン、メタプロテレノール、フェニレフリン、フェニルプロパノールアミン、ピルブテロール、レプロテロール、リミテロール、テルブタリン、イソエタリン、ツロブテロール、または（−）−４−アミノ−３，５−ジクロロ−α−［［６−［２−（２−ピリニジニル）エトキシ］ヘキシル］メチル］ベンゼンメタノールからなる群から選択され、
前記気管支拡張剤は、
塩、エステル、または溶媒和物の形態で用いて、これによって、
前記薬剤の活性および／または安定性が最適化するようになっていてもよく、
前記吸入コルチコステロイド薬は、
ジプロピオン酸ベクロメタゾン、プロピオン酸フルチカゾン、フルニソリド、ブデソニド、フロ酸モメタゾン、およびトリアムシノロンアセトニドからなる群から選択され、
前記抗コリン薬は、イプラトロピウム、チオトロピウム、アトロピン、およびオキシトロピウムからなる群から選択されることを特徴とする、請求項１に記載のドライパウダー吸入器。